【手続補正書】
【提出日】平成23年9月22日(2011.9.22)
【手続補正１】
【補正対象書類名】特許請求の範囲
【補正対象項目名】請求項１
【補正方法】変更
【補正の内容】
【請求項１】
下記式（１ａ）で表される構成単位を含む高分子化合物。
2009149850.tif 000001
〔式中、Ａ環及びＢ環はそれぞれ独立に、置換基を有していてもよい芳香族炭化水素環を表す。Ｒ1は下記式（２）で表される基である。Ｒ2はアリール基又は１価の芳香族複素環基を表し、これらの基は、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子又はシアノ基で置換されていてもよい。〕
2009149850.tif 000002
〔式中、Ａｒ1、Ａｒ2及びＡｒ3はそれぞれ独立に、アリーレン基、又は同一若しくは異なる２個以上のアリーレン基が単結合で結合した２価の基を表す。Ａｒ4、Ａｒ5、Ａｒ6及びＡｒ7はそれぞれ独立に、アリール基又は１価の芳香族複素環基を表す。Ａｒ3、Ａｒ6及びＡｒ7で表される基から選ばれる基は、該基と同一の窒素原子に結合するＡｒ1、Ａｒ2、Ａｒ3、Ａｒ4、Ａｒ5及びＡｒ7で表される基から選ばれる基と、互いに単結合で、又は−Ｏ−、−Ｓ−、−Ｃ(＝Ｏ)−、−Ｃ(＝Ｏ)−Ｏ−、−Ｎ(Ｒ6)−、−Ｃ(＝Ｏ)−Ｎ(Ｒ6)−若しくは−Ｃ(Ｒ6)(Ｒ6)−で結合して、５〜７員環を形成していてもよい。
Ｒ6は、水素原子、アルキル基、アリール基、又は１価の芳香族複素環基を表す。Ａｒ1、Ａｒ2、Ａｒ3、Ａｒ4、Ａｒ5、Ａｒ6、Ａｒ7及びＲ6で表される基は、各々、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子又はシアノ基で置換されていてもよい。ｋ及びｋｋはそれぞれ独立に、０〜３の整数であるが、ｋ及びｋｋの少なくとも一方は１〜３の整数である。Ａｒ2、Ａｒ3、Ａｒ6、Ａｒ7及びＲ6のうち複数存在するものは、同一であっても異なっていてもよい。〕
【手続補正２】
【補正対象書類名】特許請求の範囲
【補正対象項目名】請求項７
【補正方法】変更
【補正の内容】
【請求項７】
さらに、下記式（３）〜（５）で表される構成単位から選ばれる構成単位を含む請求項１〜６のいずれか一項に記載の高分子化合物。
2009149850.tif 000003
2009149850.tif 000004
2009149850.tif 000005
〔式中、Ａｒ8及びＡｒ16はそれぞれ独立に、アリーレン基、若しくは２価の芳香族複素環基、又は該アリーレン基及び該２価の芳香族複素環基からなる群から選ばれる同一若しくは異なる２個以上の基が単結合で結合した２価の基を表す。Ａｒ9、Ａｒ10、Ａｒ11及びＡｒ12はそれぞれ独立に、アリーレン基、又は同一若しくは異なる２個以上のアリーレン基が単結合で結合した２価の基を表す。Ａｒ13、Ａｒ14及びＡｒ15はそれぞれ独立に、アリール基又は１価の芳香族複素環基を表す。Ａｒ8及びＡｒ16で表されるアリーレン基、２価の芳香族複素環基及び２価の基は、各々、アルキル基、アルコキシ基、アルキルチオ基、置換カルボニル基、置換カルボキシル基、アリール基、アリールオキシ基、アリールチオ基、アラルキル基、１価の芳香族複素環基、−Ｎ(Ｒ8)(Ｒ9)、フッ素原子又はシアノ基で置換されていてもよい。Ａｒ9、Ａｒ10、Ａｒ11、Ａｒ12、Ａｒ13、Ａｒ14及びＡｒ15で表される基は、各々、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子又はシアノ基で置換されていてもよい。Ａｒ11、Ａｒ14及びＡｒ15で表される基から選ばれる基は、該基と同一の窒素原子に結合するＡｒ9、Ａｒ10、Ａｒ11、Ａｒ12、Ａｒ13及びＡｒ15で表される基から選ばれる基と、互いに単結合で、又は−Ｏ−、−Ｓ−、−Ｃ(＝Ｏ)−、−Ｃ(＝Ｏ)−Ｏ−、−Ｎ(Ｒ6)−、−Ｃ(＝Ｏ)−Ｎ(Ｒ6)−又は−Ｃ(Ｒ6)(Ｒ6)−で結合して、５〜７員環を形成していてもよい。ｍ及びｍｍはそれぞれ独立に、０又は１である。Ｘ1は、−Ｃ(Ｒ7)＝Ｃ(Ｒ7)−又は−Ｃ≡Ｃ−を表す。Ｒ7はそれぞれ独立に、水素原子、アルキル基、アリール基、１価の芳香族複素環基、フッ素原子又はシアノ基を表す。Ｒ7で表される基は、置換基を有していてもよい。Ａｒ10、Ａｒ11、Ａｒ14及びＡｒ15のうち複数存在するものは、同一であっても異なっていてもよい。Ｒ6、Ｒ8及びＲ9は、前記と同じ意味を表す。〕
【手続補正３】
【補正対象書類名】明細書
【補正対象項目名】０００６
【補正方法】変更
【補正の内容】
【０００６】
本発明は第一に、下記式（１ａ）で表される構成単位を含む高分子化合物を提供する。
2009149850.tif 000006
〔式中、Ａ環及びＢ環はそれぞれ独立に、置換基を有していてもよい芳香族炭化水素環を表す。Ｒ1は下記式（２）で表される基である。Ｒ2はアリール基又は１価の芳香族複素環基を表し、これらの基は、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子又はシアノ基で置換されていてもよい。〕
2009149850.tif 000007
〔式中、Ａｒ1、Ａｒ2及びＡｒ3はそれぞれ独立に、アリーレン基、又は同一若しくは異なる２個以上のアリーレン基が単結合で結合した２価の基を表す。Ａｒ4、Ａｒ5、Ａｒ6及びＡｒ7はそれぞれ独立に、アリール基又は１価の芳香族複素環基を表す。Ａｒ3、Ａｒ6及びＡｒ7で表される基から選ばれる基は、該基と同一の窒素原子に結合するＡｒ1、Ａｒ2、Ａｒ3、Ａｒ4、Ａｒ5及びＡｒ7で表される基から選ばれる基と、互いに単結合で、又は−Ｏ−、−Ｓ−、−Ｃ(＝Ｏ)−、−Ｃ(＝Ｏ)−Ｏ−、−Ｎ(Ｒ6)−、−Ｃ(＝Ｏ)−Ｎ(Ｒ6)−若しくは−Ｃ(Ｒ6)(Ｒ6)−で結合して、５〜７員環を形成していてもよい。
Ｒ6は、水素原子、アルキル基、アリール基、又は１価の芳香族複素環基を表す。Ａｒ1、Ａｒ2、Ａｒ3、Ａｒ4、Ａｒ5、Ａｒ6、Ａｒ7及びＲ6で表される基は、各々、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子又はシアノ基で置換されていてもよい。ｋ及びｋｋはそれぞれ独立に、０〜３の整数であるが、ｋ及びｋｋの少なくとも一方は１〜３の整数である。Ａｒ2、Ａｒ3、Ａｒ6、Ａｒ7及びＲ6のうち複数存在するものは、同一であっても異なっていてもよい。〕
【手続補正４】
【補正対象書類名】明細書
【補正対象項目名】００１５
【補正方法】変更
【補正の内容】
【００１５】
以下、本発明を詳細に説明する。
本明細書において、「構成単位」とは、高分子化合物中に１個以上存在する単位を意味するが、本明細書中の「構成単位」は、「繰り返し単位」（即ち、高分子化合物中に２個以上存在する単位）として高分子化合物中に含まれることが好ましい。「ｎ価の芳香族複素環基」（ｎは１又は２である）とは、芳香族性を持つ複素環式化合物からｎ個の水素原子を除いた原子団であって、縮合環を有するものも含むことを意味する。「複素環式化合物」とは、環式構造を持つ有機化合物のうち、環を構成する原子が、炭素原子だけでなく、酸素原子、硫黄原子、窒素原子、リン原子、ホウ素原子、ケイ素原子等のヘテロ原子を含むものをいう。「芳香族複素環式化合物」とは、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾシロール、ジベンゾホスホール等の前記ヘテロ原子を含む複素環式化合物であり、該複素環自体が芳香族性を示すもの；フェノキサジン、フェノチアジン、ジベンゾボロール、ジベンゾシロール、ベンゾピラン等の前記ヘテロ原子を含む複素環それ自体は芳香族性を示さなくとも、該複素環に芳香環が縮環されているものを意味する。
【手続補正５】
【補正対象書類名】明細書
【補正対象項目名】００２１
【補正方法】変更
【補正の内容】
【００２１】
前記アルコキシ基は、直鎖、分岐又は環状のいずれでもよく、炭素数が通常１〜２０程度である。前記アルコキシ基としては、メトキシ基、エトキシ基、プロピルオキシ基、ｉ−プロピルオキシ基、ブトキシ基、ｉ−ブトキシ基、ｔ−ブトキシ基、ペンチルオキシ基、ヘキシルオキシ基、シクロヘキシルオキシ基、ヘプチルオキシ基、オクチルオキシ基、２−エチルヘキシルオキシ基、ノニルオキシ基、デシルオキシ基、３，７−ジメチルオクチルオキシ基、ドデシルオキシ基、トリフルオロメトキシ基、ペンタフルオロエトキシ基、パーフルオロブトキシ基、パーフルオロヘキシルオキシ基、パーフルオロオクチルオキシ基、メトキシメチルオキシ基、２−メトキシエチルオキシ基、２−エトキシエチルオキシ基等が挙げられる。
【手続補正６】
【補正対象書類名】明細書
【補正対象項目名】００３８
【補正方法】変更
【補正の内容】
【００３８】
前記式（２）中、Ａｒ3、Ａｒ6及びＡｒ7で表される基から選ばれる基は、該基と同一の窒素原子に結合するＡｒ1、Ａｒ2、Ａｒ3、Ａｒ4、Ａｒ5及びＡｒ7で表される基から選ばれる基と、互いに単結合で、又は−Ｏ−、−Ｓ−、−Ｃ(＝Ｏ)−、−Ｃ(＝Ｏ)−Ｏ−、−Ｎ(Ｒ6)−、−Ｃ(＝Ｏ)−Ｎ(Ｒ6)−若しくは−Ｃ(Ｒ6)(Ｒ6)−で結合して、５〜７員環を形成する場合、単結合、又は−Ｏ−、−Ｓ−若しくは−Ｃ(Ｒ6)(Ｒ6)−で結合して、５〜６員環を形成することが好ましく、単結合、又は−Ｏ−若しくは−Ｃ(Ｒ6)(Ｒ6)−で結合して、５〜６員環を形成することがより好ましい。例えば、ｋ及びｋｋがともに１であり、Ａｒ2とＡｒ3がともにフェニル基である場合には、Ａｒ2とＡｒ3が単結合により結合してカルバゾール環を形成するもの［後述の式（２−１０５）等］、Ａｒ2とＡｒ3が−Ｏ−で結合してフェノキサジン環を形成するもの［後述の式（２−１０７）等］、Ａｒ2とＡｒ3が−Ｃ(Ｒ6)(Ｒ6)−で結合してジヒドロアクリジン環を形成するもの［後述の式（２−１０８）等］等が挙げられる。
【手続補正７】
【補正対象書類名】明細書
【補正対象項目名】００５６
【補正方法】変更
【補正の内容】
【００５６】
前記式（１）で表される構成単位としては、以下の式(１−００１)〜（１−０１８）、（１−１０１）〜（１−１１５）、（１−２０１）〜(１−２０５)で表されるもの；これらが、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子及びシアノ基からなる群から選ばれる基で置換されたもの等が挙げられる。なお、以下の式において、Ｍｅはメチル基、ｎ−Ｂｕはｎ−ブチル基、ｔ−Ｂｕはｔｅｒｔ−Ｂｕ基を表し、以下、同じである。
【手続補正８】
【補正対象書類名】明細書
【補正対象項目名】００６４
【補正方法】変更
【補正の内容】
【００６４】
−式（３）〜（５）で表される構成単位−
本発明の高分子化合物は、前記式（１ａ）で表される構成単位に加えて、さらに、下記式（３）〜（５）で表される構成単位から選ばれる構成単位を含有してもよい。
2009149850.tif 000008
2009149850.tif 000009
2009149850.tif 000010
〔式中、Ａｒ8及びＡｒ16はそれぞれ独立に、アリーレン基、若しくは２価の芳香族複素環基、又は該アリーレン基及び該２価の芳香族複素環基からなる群から選ばれる同一若しくは異なる２個以上の基が単結合で結合した２価の基を表す。Ａｒ9、Ａｒ10、Ａｒ11及びＡｒ12はそれぞれ独立に、アリーレン基、又は同一若しくは異なる２個以上のアリーレン基が単結合で結合した２価の基を表す。Ａｒ13、Ａｒ14及びＡｒ15はそれぞれ独立に、アリール基又は１価の芳香族複素環基を表す。Ａｒ8及びＡｒ16で表されるアリーレン基、２価の芳香族複素環基及び２価の基は、各々、アルキル基、アルコキシ基、アルキルチオ基、置換カルボニル基、置換カルボキシル基、アリール基、アリールオキシ基、アリールチオ基、アラルキル基、１価の芳香族複素環基、−Ｎ(Ｒ8)(Ｒ9)、フッ素原子又はシアノ基で置換されていてもよい。Ａｒ9、Ａｒ10、Ａｒ11、Ａｒ12、Ａｒ13、Ａｒ14及びＡｒ15で表される基は、各々、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子又はシアノ基で置換されていてもよい。Ａｒ11、Ａｒ14及びＡｒ15で表される基から選ばれる基は、該基と同一の窒素原子に結合するＡｒ9、Ａｒ10、Ａｒ11、Ａｒ12、Ａｒ13及びＡｒ15で表される基から選ばれる基と、互いに単結合で、又は−Ｏ−、−Ｓ−、−Ｃ(＝Ｏ)−、−Ｃ(＝Ｏ)−Ｏ−、−Ｎ(Ｒ6)−、−Ｃ(＝Ｏ)−Ｎ(Ｒ6)−又は−Ｃ(Ｒ6)(Ｒ6)−で結合して、５〜７員環を形成していてもよい。ｍ及びｍｍはそれぞれ独立に、０又は１である。Ｘ1は、−Ｃ(Ｒ7)＝Ｃ(Ｒ7)−又は−Ｃ≡Ｃ−を表す。Ｒ7はそれぞれ独立に、水素原子、アルキル基、アリール基、１価の芳香族複素環基、フッ素原子又はシアノ基を表す。Ｒ7で表される基は、置換基を有していてもよい。Ａｒ10、Ａｒ11、Ａｒ14及びＡｒ15のうち複数存在するものは、同一であっても異なっていてもよい。Ｒ6、Ｒ8及びＲ9は、前記と同じ意味を表す。〕
【手続補正９】
【補正対象書類名】明細書
【補正対象項目名】００６７
【補正方法】変更
【補正の内容】
【００６７】
前記式（３）中、Ａｒ8は、好ましくは、１，４−フェニレン基、１，３−フェニレン基、ナフタレン−１,４−ジイル基、ナフタレン−１,５−ジイル基、ナフタレン−２,６−ジイル基、アントラセン−２,６−ジイル基、アントラセン−９，１０−ジイル基、フルオレン−２，７−ジイル基、フルオレン−３，６−ジイル基、ピレン−１，６−ジイル基、ピレン−１，８−ジイル基、ペリレン−３，９−ジイル基、７Ｈ−ベンゾ［ｃ］フルオレン−５，９−ジイル基、６，１２−ジヒドロ−インデノ［１，２−ｂ］フルオレン−２，８−ジイル基、オキサジアゾール−２，５−ジイル基、チアジアゾール−２，５−ジイル基、チオフェン−２，５−ジイル基、ピリジン−２，５−ジイル基、キノリン−２，６−ジイル基、イソキノリン−１，４−ジイル基、キノキサリン−５，８−ジイル基、カルバゾール−２，７−ジイル基、カルバゾール−３，６−ジイル基、フェノキサジン−２，７−ジイル基、フェノキサジン−３，６−ジイル基、フェノチアジン−２，７−ジイル基、フェノチアジン−３，６−ジイル基、ベンゾ[１，２，５]チアジアゾール−４，７−ジイル基であり、より好ましくは、１，４−フェニレン基、ナフタレン−１,４−ジイル基、ナフタレン−２,６−ジイル基、アントラセン−２,６−ジイル基、アントラセン−９，１０−ジイル基、フルオレン−２，７−ジイル基、ピレン−１，６−ジイル基、ペリレン−３，９−ジイル基、７Ｈ−ベンゾ［ｃ］フルオレン−５，９−ジイル基、６，１２−ジヒドロ−インデノ［１，２−ｂ］フルオレン−２，８−ジイル基、キノリン−２，６−ジイル基、キノキサリン−５，８−ジイル基、フェノキサジン−３，７−ジイル基、フェノチアジン−３，７−ジイル基、ベンゾ[１，２，５]チアジアゾール−４，７−ジイル基である。これらの基は、アルキル基、アルコキシ基、アルキルチオ基、置換カルボニル基、置換カルボキシル基、アリール基、アリールオキシ基、アリールチオ基、アラルキル基、１価の芳香族複素環基、−Ｎ(Ｒ8)(Ｒ9)、フッ素原子又はシアノ基等で置換されていてもよい。Ａｒ8は、下記式（３ａ）〜（３ｇ）のいずれかで表される２価の基であることが好ましく、下記式（３ａ）〜（３ｅ）のいずれかで表される２価の基であることがより好ましく、下記式（３ｂ）で表される２価の基であることが特に好ましい。また、Ａｒ8は、下記式（３ｆ）で表される２価の基であることも望ましい。
2009149850.tif 000011
2009149850.tif 000012
〔式中、Ｒ11及びＲ12はそれぞれ独立に、水素原子、アルキル基、アリール基、アラルキル基又は１価の芳香族複素環基を表す。Ｒ11とＲ12は一緒になって環を形成していてもよい。〕
2009149850.tif 000013
〔式中、Ｒ13及びＲ14はそれぞれ独立に、水素原子、アルキル基、アルコキシ基、アルキルチオ基、置換カルボニル基、置換カルボキシル基、アリール基、アリールオキシ基、アリールチオ基、アラルキル基、１価の芳香族複素環基、−Ｎ(Ｒ8)(Ｒ9)、フッ素原子又はシアノ基を表す。〕
2009149850.tif 000014
〔式中、Ｒ15は、水素原子、アルキル基、アリール基、１価の芳香族複素環基又はアラルキル基を表す。〕
2009149850.tif 000015
〔式中、Ｒ16は、水素原子、アルキル基、アリール基、１価の芳香族複素環基又はアラルキル基を表す。〕
2009149850.tif 000016
〔式中、Ｒ23は、水素原子、アルキル基、アリール基、アラルキル基又は１価の芳香族複素環基を表す。Ｒ24は下記式（２ａ）で表される基である。Ｒ23とＲ24は同一でも異なっていてもよい。〕
2009149850.tif 000017
〔式中、Ａｒ2a1は、アリーレン基、又は同一若しくは異なる２個以上のアリーレン基が単結合で結合した２価の基を表す。Ａｒ2a2及びＡｒ2a3はそれぞれ独立に、アリール基又は１価の芳香族複素環基を表す。Ａｒ2a2及びＡｒ2a3で表される基から選ばれる基は、該基と同一の窒素原子に結合するＡｒ2a1、Ａｒ2a2及びＡｒ2a3で表される基から選ばれる基と、互いに単結合で、又は−Ｏ−、−Ｓ−、−Ｃ(＝Ｏ)−、−Ｃ(＝Ｏ)−Ｏ−、−Ｎ(Ｒ2a6)−、−Ｃ(＝Ｏ)−Ｎ(Ｒ2a6)−若しくは−Ｃ(Ｒ2a6)(Ｒ2a6)−で結合して、５〜７員環を形成していてもよい。Ｒ2a6は、水素原子、アルキル基、アリール基、又は１価の芳香族複素環基を表す。Ａｒ2a1、Ａｒ2a2、Ａｒ2a3及びＲ2a6で表される基は、各々、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子又はシアノ基で置換されていてもよい。〕
2009149850.tif 000018
〔式中、Ｒ25、Ｒ26は下記式（２ｂ）で表される基である。Ｒ25とＲ26は同一でも異なっていてもよい。〕
2009149850.tif 000019
〔式中、Ａｒ2b1、Ａｒ2b2及びＡｒ2b3はそれぞれ独立に、アリーレン基、又は同一若しくは異なる２個以上のアリーレン基が単結合で結合した２価の基を表す。Ａｒ2b4、Ａｒ2b5、Ａｒ2b6及びＡｒ2b7はそれぞれ独立に、アリール基又は１価の芳香族複素環基を表す。Ａｒ2b3、Ａｒ2b6及びＡｒ2b7で表される基から選ばれる基は、該基と同一の窒素原子に結合するＡｒ2b1、Ａｒ2b2、Ａｒ2b3、Ａｒ2b4、Ａｒ2b5及びＡｒ2b7で表される基から選ばれる基と、互いに単結合で、又は−Ｏ−、−Ｓ−、−Ｃ(＝Ｏ)−、−Ｃ(＝Ｏ)−Ｏ−、−Ｎ(Ｒ2b6)−、−Ｃ(＝Ｏ)−Ｎ(Ｒ2b6)−若しくは−Ｃ(Ｒ2b6)(Ｒ2b6)−で結合して、５〜７員環を形成していてもよい。Ｒ2b6は、水素原子、アルキル基、アリール基、又は１価の芳香族複素環基を表す。Ａｒ2b1、Ａｒ2b2、Ａｒ2b3、Ａｒ2b4、Ａｒ2b5、Ａｒ2b6、Ａｒ2b7及びＲ2b6で表される基は、各々、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子又はシアノ基で置換されていてもよい。ｋｋｋ及びｋｋｋｋはそれぞれ独立に、０〜３の整数である。Ａｒ2b2、Ａｒ2b3、Ａｒ2b6、Ａｒ2b7及びＲ2b6が複数存在する場合、それらは、各々、同一であっても異なっていてもよい。〕
【手続補正１０】
【補正対象書類名】明細書
【補正対象項目名】０１０１
【補正方法】変更
【補正の内容】
【０１０１】
前記式（Ａ）、前記式（Ｍ−１）〜（Ｍ−３）で表される化合物は、予め合成し単離したものを用いてもよいし、反応系中で合成してそのまま用いてもよいが、本発明の高分子化合物を発光素子に用いる場合、その純度が発光特性に影響を与えるため、重合前の単量体を蒸留、昇華精製、再結晶等の方法で精製した後に縮合重合することが好ましい。
【手続補正１１】
【補正対象書類名】明細書
【補正対象項目名】０１７９
【補正方法】変更
【補正の内容】
【０１７９】
・発光層
発光層は、通常、蛍光又は燐光を発する有機化合物（低分子化合物、高分子化合物）と、必要に応じてこれを補助するドーパントとから形成される。本発明の発光素子における発光層には、本発明の高分子化合物；シクロペンダミン誘導体、テトラフェニルブタジエン誘導体化合物、トリフェニルアミン誘導体、オキサジアゾール誘導体、ピラゾロキノリン誘導体、ジスチリルベンゼン誘導体、ジスチリルアリーレン誘導体、ピロール誘導体、チオフェン環化合物、ピリジン環化合物、アントラセン誘導体、ペリレン誘導体、オリゴチオフェン誘導体、オキサジアゾールダイマー、ピラゾリンダイマー等の色素系材料；イリジウム錯体、白金錯体等の三重項励起状態からの発光を有する金属錯体、アルミキノリノール錯体、ベンゾキノリノールベリリウム錯体、ベンゾオキサゾリル亜鉛錯体、ベンゾチアゾール亜鉛錯体、アゾメチル亜鉛錯体、ポルフィリン亜鉛錯体、ユーロピウム錯体等、中心金属に、Al、Zn、Be等又はTb、Eu、Dy等の希土類金属を有し、配位子にオキサジアゾール、チアジアゾール、フェニルピリジン、フェニルベンゾイミダゾール、キノリン構造等を有する金属錯体等の金属錯体系材料；ポリパラフェニレンビニレン誘導体、ポリチオフェン誘導体、ポリパラフェニレン誘導体、ポリシラン誘導体、ポリアセチレン誘導体、ポリフルオレン誘導体、ポリビニルカルバゾール誘導体、上記色素体や金属錯体系発光材料を高分子化したもの等の高分子系材料等の発光材料を用いることができる。
【手続補正１２】
【補正対象書類名】明細書
【補正対象項目名】０２８５
【補正方法】変更
【補正の内容】
【０２８５】
＜実施例３５＞
実施例３２において、高分子化合物Ｐ１の０．８重量％キシレン溶液に代えて、高分子化合物Ｐ１に、下記式：
2009149850.tif 000020
で表される発光材料ＥＭ−Ｃ（アメリカンダイソース社製、商品名：ADS077RE）を５重量％添加した混合物の０．８重量％キシレン溶液を用いたこと以外は、実施例３２と同様にして、フォトルミネッセンス量子収率（ＰＬＱＹ）を測定した。その結果、量子収率は２４％であり、発光スペクトルより求めた色度座標Ｃ．Ｉ．Ｅ．１９３１は（ｘ，ｙ）＝（０．５１，０．２２）と赤色発光を示した。これらの結果を表３に示す。